(57)【要約】【課題】認知機能検査における検査員の負担の軽減を図る。【解決手段】表示画面上にタッチパネルを備える表示入力装置をそれぞれ有し，該表示画面上に設問を表示し，タッチパネル上で入力された回答を取込む複数台の端末装置20と，進行管理のための情報を表示する表示装置を備える検査員装置10とを制御して実施する認知機能検査の進行管理システム。複数台の端末装置についての検査の進行状況を示す進行管理表を検査員装置の表示装置の表示画面上に表示する。この進行管理表において，複数台の上記端末装置のタッチパネル上で手書き入力されかつ上記検査員装置に送信されてきた受検者の氏名を表わす文字を該氏名のデータを送信した端末装置に対応させて表示する。また，端末装置から送信されてきた少なくとも質問または確認の有無の情報を当該端末装置の識別符号または受検者の氏名に対応させて表示する。【選択図】図14
2020028319.tif 000002
【特許請求の範囲】
【請求項１】
表示画面上にタッチパネルを備える表示入力装置をそれぞれ有し，該表示画面上に設問を表示し，タッチパネル上で入力された回答を取込む複数台の端末装置と，進行管理のための情報を表示する表示装置を備える検査員装置とを制御して実施する認知機能検査の進行管理システムであり，
複数台の端末装置について，順次実施される複数種類の検査の進行状況を示す進行管理表を上記検査員装置の表示装置の表示画面上に表示する表示制御手段を備える，
認知機能検査の進行管理システム。
【請求項２】
上記表示制御手段は，上記進行管理表において，複数台の上記端末装置のタッチパネル上で手書き入力されかつ上記検査員装置に送信されてきた受検者の氏名を表わす文字を該氏名のデータを送信した端末装置に対応させて表示する，
請求項１に記載の認知機能検査の進行管理システム。
【請求項３】
上記端末装置の表示入力装置の表示画面に少なくとも受検者の氏名の手書き入力を促す画面を表示させる第１の端末制御手段を備える，請求項２に記載の認知機能検査の進行管理システム。
【請求項４】
上記表示制御手段は，端末装置から送信されてきた少なくとも質問または確認の有無の情報を当該端末装置の識別符号または受検者の氏名に対応させて表示する，
請求項１または２に記載の認知機能検査の進行管理システム。
【請求項５】
進行管理表は，端末装置または受検者の識別符号と検査の種類の進行状況とを表わしたものであり，上記表示制御手段は，少なくとも質問または確認の有無の情報を，その情報を送信した端末装置または受検者の識別符号に対応させて，該情報を受信したときの検査の種類に応じた位置に表示する，請求項４に記載の認知機能検査の進行管理システム。 
【請求項６】
上記端末装置の表示入力装置の表示画面に，質問または確認の有無の情報の入力を促す画面を表示させる第２の端末制御手段を備える，請求項４または５に記載の認知機能検査の進行管理システム。
【請求項７】
制限時間のある検査の種類に関して，
検査の開始にあたって端末装置における入力を有効とし，かつ制限時間の計時を開始し，
制限時間が経過したときに端末装置における入力を無効とする検査時間制御手段をさらに備える，請求項１から６のいずれか一項に記載の認知機能検査の進行管理システム。
【請求項８】
表示画面上にタッチパネルを備える表示入力装置をそれぞれ有し，該表示画面上に設問を表示し，タッチパネル上で入力された回答を取込む複数台の端末装置と，進行管理のための情報を表示する表示装置を備える検査員装置とを制御して実施する認知機能検査の進行管理システムであり，
複数台の端末装置についての検査の進行状況を示す進行管理表を上記検査員装置の表示装置の表示画面上に表示する表示制御手段を備え，
上記表示制御手段は，上記進行管理表において，複数台の上記端末装置のタッチパネル上で手書き入力されかつ上記検査員装置に送信されてきた受検者の氏名を表わす文字を該氏名のデータを送信した端末装置に対応させて表示する，
認知機能検査の進行管理システム。
【請求項９】
上記表示制御手段は，端末装置から送信されてきた少なくとも質問または確認の有無の情報を当該端末装置の識別符号または受検者の氏名に対応させて表示する，
請求項８に記載の認知機能検査の進行管理システム。
【請求項１０】
表示画面上にタッチパネルを備える表示入力装置をそれぞれ有し，該表示画面上に設問を表示し，タッチパネル上で入力された回答を取込む複数台の端末装置と，進行管理のための情報を表示する表示装置を備える検査員装置とを制御して実施する認知機能検査の進行管理システムであり，
複数台の端末装置についての検査の進行状況を示す進行管理表を上記検査員装置の表示装置の表示画面上に表示する表示制御手段を備え，
上記表示制御手段は，上記進行管理表において，端末装置から送信されてきた少なくとも質問または確認の有無の情報を当該端末装置または受検者の識別符号に対応させて表示する，
認知機能検査の進行管理システム。
【請求項１１】
進行管理表は，端末装置または受検者の識別符号と検査の種類の進行状況とを表わしたものであり，上記表示制御手段は，少なくとも質問または確認の有無の情報を，その情報を送信した端末装置または受検者の識別符号に対応させて，該情報を受信したときの検査の種類に応じた位置に表示する，請求項９または10に記載の認知機能検査の進行管理システム。 
【請求項１２】
上記端末装置の表示入力装置の表示画面に少なくとも受検者の氏名の手書き入力を促す画面を表示させる第１の端末制御手段を備える，請求項８に記載の認知機能検査の進行管理システム。
【請求項１３】
上記端末装置の表示入力装置の表示画面に，質問または確認の有無の情報の入力を促す画面を表示させる第２の端末制御手段を備える，請求項９から11のいずれか一項に記載の認知機能検査の進行管理システム。
【請求項１４】
制限時間のある検査の種類に関して，
検査の開始にあたって端末装置における入力を有効とし，かつ制限時間の計時を開始し，
制限時間が経過したときに端末装置における入力を無効とする検査時間制御手段をさらに備える，請求項８から11のいずれか一項に記載の認知機能検査の進行管理システム。
【請求項１５】
表示画面上にタッチパネルを備える表示入力装置をそれぞれ有し，該表示画面上に設問を表示し，タッチパネル上で入力された回答を取込む複数台の端末装置と，進行管理のための情報を表示する表示装置を備える検査員装置とを制御して実施する認知機能検査の進行管理システムであり，
制限時間のある検査の種類に関して，
検査の開始にあたって端末装置における入力を有効とし，かつ制限時間の計時を開始し，
制限時間が経過したときに端末装置における入力を無効とする検査時間管理手段を備える，
認知機能検査の進行管理システム。
【請求項１６】
表示画面上にタッチパネルを備える表示入力装置をそれぞれ有し，該表示画面上に設問を表示し，タッチパネル上で入力された回答を取込む複数台の端末装置と，進行管理のための情報を表示する表示装置を備える検査員装置とを制御して実施する認知機能検査の進行管理方法であり，
表示制御手段が，複数台の端末装置について，順次実施される複数種類の検査の進行状況を示す進行管理表を上記検査員装置の表示装置の表示画面上に表示する，
認知機能検査の進行管理方法。
【請求項１７】
表示画面上にタッチパネルを備える表示入力装置をそれぞれ有し，該表示画面上に設問を表示し，タッチパネル上で入力された回答を取込む複数台の端末装置と，進行管理のための情報を表示する表示装置を備える検査員装置とを制御して実施する認知機能検査の進行管理方法であり，
表示制御手段が，複数台の端末装置についての検査の進行状況を示す進行管理表を上記検査員装置の表示装置の表示画面上に表示し，
上記表示制御手段が，上記進行管理表において，複数台の上記端末装置のタッチパネル上で手書き入力されかつ上記検査員装置に送信されてきた受検者の氏名を表わす文字を該氏名のデータを送信した端末装置に対応させて表示する，
認知機能検査の進行管理方法。
【請求項１８】
表示画面上にタッチパネルを備える表示入力装置をそれぞれ有し，該表示画面上に設問を表示し，タッチパネル上で入力された回答を取込む複数台の端末装置と，進行管理のための情報を表示する表示装置を備える検査員装置とを制御して実施する認知機能検査の進行管理方法であり，
表示制御手段により，複数台の端末装置についての検査の進行状況を示す進行管理表を上記検査員装置の表示装置の表示画面上に表示し，
上記表示制御手段により，上記進行管理表において，端末装置から送信されてきた少なくとも質問または確認の有無の情報を当該端末装置または受検者の識別符号に対応させて表示する，
認知機能検査の進行管理方法。
【請求項１９】
表示画面上にタッチパネルを備える表示入力装置をそれぞれ有し，該表示画面上に設問を表示し，タッチパネル上で入力された回答を取込む複数台の端末装置と，進行管理のための情報を表示する表示装置を備える検査員装置とを制御して実施する認知機能検査の進行管理方法であり，
検査時間制御手段が，制限時間のある検査の種類に関して，
検査の開始にあたって端末装置における入力を有効とし，かつ制限時間の計時を開始し，
制限時間が経過したときに端末装置における入力を無効とする，
認知機能検査の進行管理方法。
【請求項２０】
表示画面上にタッチパネルを備える表示入力装置をそれぞれ有し，該表示画面上に設問を表示し，タッチパネル上で入力された回答を取込む複数台の端末装置と，進行管理のための情報を表示する表示装置を備える検査員装置とを制御して実施する認知機能検査の進行管理プログラムであり，
複数台の端末装置について順次実施される複数種類の検査の進行状況を示す進行管理表を上記検査員装置の表示装置の表示画面上に表示するように上記検査員装置のコンピュータを制御する，
認知機能検査の進行管理プログラム。
【請求項２１】
表示画面上にタッチパネルを備える表示入力装置をそれぞれ有し，該表示画面上に設問を表示し，タッチパネル上で入力された回答を取込む複数台の端末装置と，進行管理のための情報を表示する表示装置を備える検査員装置とを制御して実施する認知機能検査の進行管理プログラムであり，
複数台の端末装置についての検査の進行状況を示す進行管理表を上記検査員装置の表示装置の表示画面上に表示し，
上記進行管理表において，複数台の上記端末装置のタッチパネル上で手書き入力されかつ上記検査員装置に送信されてきた受検者の氏名を表わす文字を該氏名のデータを送信した端末装置と対応させて表示するように上記検査員装置のコンピュータを制御する，
認知機能検査の進行管理プログラム。
【請求項２２】
表示画面上にタッチパネルを備える表示入力装置をそれぞれ有し，該表示画面上に設問を表示し，タッチパネル上で入力された回答を取込む複数台の端末装置と，進行管理のための情報を表示する表示装置を備える検査員装置とを制御して実施する認知機能検査の進行管理プログラムであり，
複数台の端末装置についての検査の進行状況を示す進行管理表を上記検査員装置の表示装置の表示画面上に表示し，
上記進行管理表において，端末装置から送信されてきた少なくとも質問または確認の有無の情報を当該端末装置または受検者の識別符号または受検者の氏名に対応させて表示するように上記検査員装置のコンピュータを制御する，
認知機能検査の進行管理プログラム。
【請求項２３】
表示画面上にタッチパネルを備える表示入力装置をそれぞれ有し，該表示画面上に設問を表示し，タッチパネル上で入力された回答を取込む複数台の端末装置と，進行管理のための情報を表示する表示装置を備える検査員装置とを制御して実施する認知機能検査の進行管理プログラムであり，
制限時間のある検査の種類に関して，
検査の開始にあたって端末装置における入力を有効とし，かつ制限時間の計時を開始し，
制限時間が経過したときに端末装置における入力を無効とするように上記検査員装置または端末装置におけるコンピュータを制御する認知機能検査の進行管理プログラム。
【発明の詳細な説明】
【技術分野】
【０００１】
この発明は認知機能検査の進行管理システム，方法およびプログラムに関し，たとえば自動車等の運転免許更新時における後期高齢者を対象として実施する認知機能検査の進行を管理するためのシステム，同管理方法および同管理のためのコンピュータ・プログラムに関する。
【背景技術】
【０００２】
人口増と寿命延伸により高齢者人口の増加は著しい。人類の認知機能が老化に伴って低下することを妨げることはできない。たとえば，主たる移動手段として自動車中心の社会といっても過言ではない現状において，認知機能が低下すると，今まで通りの運転がままならなくなり，ひいては交通事故に繋がる可能性が高まるなどの問題が生じ，このような背景から，高齢者の認知機能の状態の確認ニーズは日増しに高まっている。
【０００３】
認知機能の状態の確認は，神経心理検査と呼ばれる認知機能の検査（以下，認知機能検査）の実施により行われている。
【０００４】
認知機能検査は，一般的には医療施設において，検査者と被検者が一対一で実施することを想定して設計されているものがその大半である。しかしながら医療機関での診断とは異なる非医療機関で実施する場合には，たとえば自動車等の運転免許更新時における後期高齢者を対象として実施する認知機能検査では，効率を高めるために複数人数でのグループによる実施が求められる。現在は，一対一用に設計されたものを基礎として新たに設計されたグループで実施可能な認知機能検査が使われている。
【０００５】
複数人数をまとめて検査するとなると，一名の検査員では足りず，人数に応じた補助者が必要となる。被検者の全員の進行状態に目を配らなければならないことからその心理的負担も大きい。今日のコンピュータ技術を利用して，検査員の負担軽減を考慮する必要がある。
【０００６】
特許文献１にはタブレットを用いたタッチパネル式認知機能検査装置が記載されている。この装置は，被検査者がタッチパネル上に表示された標的または選択肢にタッチしたときに，音，色の変化等でフィードバックし，パソコン操作に不慣れな高齢者にもやさしく，ストレスの軽減を図るというものであり，複数人の認知機能検査を行なう場合に，検査の進行を適切に管理していくためのツールを開示するものではない。
【先行技術文献】
【特許文献】
【０００７】
【特許文献１】特開２０１７−１４０３３５号公報
【発明の概要】
【０００８】
この発明は，複数人の受検者が同時に検査を受けるグループによる認知機能検査において，その進行ができるだけスムーズに進むように管理することができるようにすることを目的とする。これにより，検査員の負担をできるだけ軽減し，検査時間が全体的に短縮でき，また補助者の数をできるだけ少なくすることができることが期待される。
【０００９】
第１の発明は，表示画面上にタッチパネルを備える表示入力装置をそれぞれ有し，該表示画面上に設問を表示し，タッチパネル上で入力された回答を取込む複数台の端末装置と，進行管理のための情報を表示する表示装置を備える検査員装置とを制御して実施する認知機能検査の進行管理システムであり，複数台の端末装置について，順次実施される複数種類の検査の進行状況を示す進行管理表を上記検査員装置の表示装置の表示画面上に表示する表示制御手段を備えるものである。
【００１０】
認知機能検査の実施の進行をすべて検査員装置側で管理できるので，円滑な検査の進行，検査員の負担の軽減，全体的時間の短縮，補助者の人数の削減等が期待できる。
【００１１】
第２の発明は，表示画面上にタッチパネルを備える表示入力装置をそれぞれ有し，該表示画面上に設問を表示し，タッチパネル上で入力された回答を取込む複数台の端末装置と，進行管理のための情報を表示する表示装置を備える検査員装置とを制御して実施する認知機能検査の進行管理システムであり，複数台の端末装置についての検査の進行状況を示す進行管理表を上記検査員装置の表示装置の表示画面上に表示する表示制御手段を備え，上記表示制御手段は，上記進行管理表において，複数台の上記端末装置のタッチパネル上で手書き入力されかつ上記検査員装置に送信されてきた受検者の氏名を表わす文字を該氏名のデータを送信した端末装置に対応させて表示するものである。
【００１２】
好ましくは，上記端末装置の表示入力装置の表示画面に少なくとも受検者の氏名の手書き入力を促す画面を表示させる第１の端末制御手段を備える。
【００１３】
検査員装置が表示画面に表示する受検者の氏名は端末装置から送信された手書き文字でも，それを文字認識処理でテキストデータに変換して得られるテキスト文字でもよい。
【００１４】
第２の発明のシステムにおいては，複数人の受検者がそれぞれ端末装置に表示される設問に回答し，その回答が検査員装置に送信される。検査員装置では認知機能検査の進行が管理される。この進行管理において，端末装置から送信される受検者の氏名が検査員装置の表示画面の進行管理表に表示されるので，検査員は受検者の氏名の確認を検査員装置側で行うことができる。認知機能検査のスムーズな進行，検査員の負担の軽減に寄与することが期待される。
【００１５】
第３の発明は，表示画面上にタッチパネルを備える表示入力装置をそれぞれ有し，該表示画面上に設問を表示し，タッチパネル上で入力された回答を取込む複数台の端末装置と，進行管理のための情報を表示する表示装置を備える検査員装置とを制御して実施する認知機能検査の進行管理システムであり，複数台の端末装置についての検査の進行状況を示す進行管理表を上記検査員装置の表示装置の表示画面上に表示する表示制御手段を備え，上記表示制御手段は，上記進行管理表において，端末装置から送信されてきた少なくとも質問または確認の有無の情報を当該端末装置または受検者の識別符号に対応させて表示するものである。
【００１６】
好ましい実施態様では，進行管理表は，端末装置または受検者の識別符号と検査の種類の進行状況とを表わしたものであり，上記表示制御手段は，少なくとも質問または確認の有無の情報を，その情報を送信した端末装置または受検者の識別符号に対応させて，該情報を受信したときの検査の種類に応じた位置に表示する。 
【００１７】
また，上記端末装置の表示入力装置の表示画面に，質問または確認の有無の情報の入力を促す画面を表示させる第２の端末制御手段を備えることが好ましい。
【００１８】
認知機能検査にあたって，検査員は，複数の受検者に質問があるかどうか，受検者が設問を読めているかどうか，理解しているかどうかを，検査員装置側で知ることができる。スムーズな検査の進行や検査員の負担の軽減，時間の短縮に寄与することが期待できる。
【００１９】
第４の発明は，表示画面上にタッチパネルを備える表示入力装置をそれぞれ有し，該表示画面上に設問を表示し，タッチパネル上で入力された回答を取込む複数台の端末装置と，進行管理のための情報を表示する表示装置を備える検査員装置とを制御して実施する認知機能検査の進行管理システムであり，制限時間のある検査の種類に関して，検査の開始にあたって端末装置における入力を有効とし，かつ制限時間の計時を開始し，制限時間が経過したときに端末装置における入力を無効とする検査時間管理手段を備える。
【００２０】
時間制限のある検査における制限時間の管理を正しく行なうことができる。受検者が時間制限のある設問に，回答のために許された時間帯よりも前に，または後に端末装置から回答を入力したとしても，それは無効とされるので，公平な検査が担保される。
【００２１】
第１から第４の発明において，一実施態様では，検査員装置を制御する手段を実現するコンピュータプログラムは検査員装置に，端末装置を制御する手段を実現するコンピュータプログラムは端末装置に設けておく。他の実施態様では端末装置を制御する手段を実現するコンピュータプログラムを検査員装置に保持しておき，必要な都度，端末装置に送信するようにしてもよい。さらに他の実施態様では，これらの制御手段を実現するコンピュータプログラムをクラウドコンピューティングシステムに保持しておいて，これを検査員装置や端末装置にダウンロードするようにしてもよい。各種データもクラウドコンピューティングシステムに保持されるようにすることもできる。
【００２２】
この発明は上記認知機能検査の進行管理システムにおけるコンピュータにおける制御方法（進行管理方法）や，上記進行管理システムを実現するコンピュータプログラムも提供している。
【図面の簡単な説明】
【００２３】
【図１】認知機能検査およびその進行管理のためのシステムの全体的構成を示す。
【図２】検査員装置の構成の概要を示す。
【図３】検査員装置用表示画面データ記憶領域を示す。
【図４】端末用表示画面データ記憶領域を示す。
【図５】遷移記憶領域を示す。
【図６】ページ別端末制御データ記憶領域を示す。
【図７】採点表記憶領域を示す。
【図８】正解記憶領域を示す。
【図９】主プログラムおよび端末制御プログラムの流れを示す。
【図１０】採点プログラムの流れを示す。
【図１１】初期設定画面を示す。
【図１２】検査員装置の表示画面の例を示す。
【図１３】検査員装置の表示画面の例を示す。
【図１４】検査員装置の表示画面の例を示す。
【図１５】端末装置の表示画面の例を示す。
【図１６】端末装置の表示画面の例を示す。
【図１７】端末装置の表示画面の例を示す。
【図１８】端末装置の表示画面の例を示す。
【図１９】端末装置における回答記入例を示す。
【図２０】端末装置における回答記入例を示す。
【図２１】イラストの例を示す。
【図２２】イラストの例を示す。
【図２３】イラストの例を示す。
【図２４】端末装置における回答の記入例を示す。
【図２５】端末装置における回答の記入例を示す。
【図２６】端末装置における回答の記入例を示す。
【図２７】端末装置における表示画面の例を示す。
【図２８】検査員装置における採点画面の例を示す。
【図２９】検査員装置における採点画面の例を示す。
【図３０】検査員装置における採点画面の例を示す。
【図３１】検査員装置における採点画面の例を示す。
【実施例】
【００２４】
図１は，認知機能検査を実施するためのシステムの全体を示すものであり，認知機能検査の進行管理の機能を含んでいる。したがって図１は認知機能検査の進行管理システムとも呼べる。
【００２５】
認知機能検査を実施するためのシステムは，検査員が使用する検査員装置10と，受検者が使用する受検者端末装置20とから構成される。一般に一つの部屋に集められた複数の受検者（10人，15人など）を対象に一挙に認知機能検査を実施するので，複数台の端末装置20が用意される。
【００２６】
検査員装置10と複数台の端末装置20とはそれぞれ通信機能を有し，有線または無線で相互に通信し，プログラムやデータを送受信する。この実施例では両装置10と20はウェブブラウザを搭載し，これにより相互に通信する。
【００２７】
図２は検査員装置10の構成の概要を示している。検査員装置10はいわゆるパーソナルコンピュータ（ＰＣ）で実現され，コンピュータ本体である制御部11（各種制御手段），表示装置により実現される表示部12（表示用メモリを含む），記憶装置により実現される記憶部13，入出力部14およびブラウザ機能により実現される通信制御部15を含む。好ましくは表示部12の表示画面上にはタッチパネルが設けられ，表示部12は入力機能も持つ（表示入力装置）。この場合には入出力部14の入出力インターフェイス機能は表示部12によって実現される。
【００２８】
記憶部13には，さまざまなデータ格納領域，プログラム領域が設けられている。詳細は後述するが，記憶部13には，初期設定データ記憶領域，検査員装置用表示画面データ記憶領域（表示制御手段），端末用（端末装置用）表示画面データ記憶領域，遷移記憶領域，ページ別端末制御データ（第１，第２の端末制御手段，検査時間制御手段）記憶領域，主プログラム（表示制御手段）記憶領域，表示プログラム（表示制御手段）記憶領域，採点プログラム（正誤判定手段，更新手段，採点手段）記憶領域，正解記憶領域（正解存否記憶手段），採点表記憶領域等がある。
【００２９】
端末装置20は好ましくはモバイル端末装置であり，タブレット型端末装置であることが望ましい。すなわち，端末装置20もまた，制御部（第１，第２の端末制御手段，検査時間制御手段），表示部，記憶部，通信制御部等を備え，表示部の表示装置の表示画面上にはタッチパネルが設けられ，入出力インターフェイス部として働く。端末装置20の表示画面上には，後述するように，説明文，注意文，設問，回答欄等が表示され，受検者は表示画面上に指または専用ペンを用いてタッチしたり，文字，数字等を手書きして入力することができる。
【００３０】
この実施例では検査員装置10がサーバとして働き，すべてのデータ，プログラム等をその記憶部13に保有し，後述するように，その都度（画面の変更の毎に）端末装置20で必要なプログラムやデータをサーバ10から端末装置20に送信する。もちろん端末装置20のためのプログラムや端末装置20で用いるデータについては端末装置20に持たせてもよい。他の実施態様では，検査員装置10の記憶部13に記憶されるようなプログラムやデータの全部または一部をクラウドコンピューティングシステム（図示略）にアップロードし，検査員装置10や端末装置20はクラウドコンピューティングシステムと交信しながら認知機能検査の実施，その進行管理を行うようにすることができる。
【００３１】
図３は記憶部13内に設けられる検査員装置用表示画面（進行管理画面）データ（表示制御手段）記憶領域の概要を示すものである。この記憶領域には，初期設定データ領域，進行管理表データ領域およびページ（カテゴリ別，項目別）説明データ領域がある。これらのデータはいずれも検査員装置の表示画面上の配置，データと関連するので，その詳細を図12に示す表示画面を参照して説明する。なお，図３のデータ記憶領域は表示部12の表示用メモリで実現してもよい。
【００３２】
図12において，検査員装置10の表示部12の表示画面には，上から，初期設定データ表示欄31，進行管理表表示欄32およびページ説明欄33が設けられている。最初の画面には開始ボタン34も表示されている。この開始ボタン34は次の画面からは戻るボタン35や次へボタン36に置き替えられる。
【００３３】
ページ説明データ領域は表示画面上のページ説明欄33への表示をするために必要なデータを格納する領域である。このページ説明欄33は，検査員が検査を実行するにあたって，検査員が行うべき手順と内容（指示，各種説明，注意，確認，提示，回答記入，開始，終了の指示等）をその順序にしたがって表示する，いわばガイダンスを示す欄である。ここには８のカテゴリーが示されている。カテゴリーとは，事前指示／説明，自己申告，見当識，遅延再生（イラスト記憶），介入課題，遅延再生（自由回答），遅延再生（手がかり回答），時計描画を指し，いわば認知機能検査の進行ステージ（検査の事前準備，各種検査，検査の種類）である。各カテゴリーを示す用語の下に，項目（各ステージにおける詳細実施項目）が番号をつけて縦に並べられている。項目とは事前指示／説明のカテゴリーでいえば，１．検査に当たっての事前の指示，２．話注意，３．質問確認，４．検査結果等に関する説明である。これらの項目のうち実施している項目が，カーソル（ポインティングボックス）37で示される（図13，図14を参照）。
【００３４】
これらのカテゴリーと項目の組合せを，この実施例ではページと呼ぶ。認知機能検査が１ページずつ進んでいく，というイメージである。ページには識別符号が付けられる。ここでは，順番にＰ１，Ｐ２，Ｐ３，‥‥，Ｐｉ，‥‥Ｐｎ，‥‥というページ番号を付けるものとする。たとえば，事前指示／説明の４．検査結果等に関する説明はＰ４，自己申告の１．自己申告用紙表示はＰ５である。
【００３５】
進行管理表表示欄の進行管理表には複数台（ここでは10台）の端末装置20の端末番号ごとに，上述したカテゴリーのコラムが表示され，各カテゴリーのコラムには進行中の項目の番号が表示されるようになっている。また，端末番号に対応してその端末番号を使用している受検者の氏名（本人の手書き氏名）が表示される（図14を参照）。さらに，質問の有無等も該当するカテゴリーのコラムにおいて端末番号に対応して表示される（図13，図14を参照）。初期設定データ欄については後述する。進行管理表において，端末番号は縦方向に並び，氏名および８つのカテゴリーは横方向に並んでいる。逆に，端末番号を横方向に配列し，検査の進行段階（カテゴリー等）（検査の種類）を縦方向に配列してもよい。
【００３６】
図４において，端末用表示画面データ記憶領域には，上述したページ毎に，端末装置20に表示する画面を表わすデータ（画面データ）が記憶されている。画面データはテキストデータまたはイメージデータである。各画面データにはＵＲＬが付けられている。端末装置20はＵＲＬを指定して表示すべき画面データを特定する。指定されたＵＲＬの画面データは検査員装置10から端末装置20に送られる。
【００３７】
図５は遷移記憶領域の内容を示すものである。この記憶領域は，現在進行中の検査段階を示すページ番号を記憶するものである。ページは上述したようにカテゴリーと項目から構成されるので，図５には分りやすくするためにこれらの文字が表わされている。
【００３８】
図６はページ別端末制御データ（第１，第２の端末制御手段，検査時間制御手段）記憶領域の内容を示すものである。ページ別端末制御データには，ページ毎に，認知機能検査の各段階で（各ページで）端末装置20が必要とするプログラム，データおよび記憶領域が含まれている。すなわち，端末装置20の表示画面のタッチパネル上で受検者が入力した事項の読取りプログラムと，端末装置20の画面に表示する表示画面データが格納されている場所（端末用表示画面データ記憶領域の場所）のＵＲＬと，端末装置20が表示画面上のタッチパネルから読取ったデータを記憶する領域（端末装置の台数分のデータを記憶できる領域）とがページ毎に設けられている。この記憶領域のページ別端末制御データは検査の進行に伴って各段階で検査員装置10から端末装置20に送られ，それに従って端末装置20が動作する。たとえば，後述する図９のＳ15，Ｓ21，Ｓ22，Ｓ31，Ｓ32，Ｓ41，Ｓ42，Ｓ43，Ｓ44の処理の全部または一部が実行される。これらのページ別端末制御データはあらかじめ端末装置20の記憶部に記憶させておいてもよい。画面データも端末装置20に記憶させておいてもよい。上述したクラウドコンピューティングシステムを利用した場合には，これらのページ別端末制御データをクラウドコンピューティングシステムから端末装置に送信するようになるであろう。
【００３９】
図７は採点表の例を示す。各端末番号について，検査の設問１，３，４，５ごとに，各設問の細かい問題別に点数を記憶できる。合計点とそれに基づく認知機能のレベルの分類も記憶される。
【００４０】
図８に示す正解記憶領域は，イラストごとに，正解（正解単語）およびそのヒントを記憶するとともに，自動採点によって判定される正解の存否を表わすデータ（正解存否記憶手段）（たとえばフラグ）を記憶する。詳細については後述する。
【００４１】
検査員装置10の初期設定画面（図11）において検査員は初期設定を行う。初期設定には遅延再生のイラストパターンの選択と，介入課題において指定する数字の設定と，時計描画において描画すべき時間の設定とが含まれる。遅延再生の検査（設問）とは，複数（ここでは16）の物品等を表わしたイラストを受検者に順次提示し（１枚ずつ，または複数枚ずつ），憶えさせる。適当な時間経過後に（その間に介入課題を実施する），憶えたイラストによって表わされる物品等を表わす単語（ことば，文字）を筆記させる検査である。複数（16）のイラストを１セットとして，あらかじめ複数セット（パターンＡ〜Ｄ）を用意しておき，そのうちの１セットを選択するのが初期設定である。ここでは二重丸のパターンＡが選択されている。
【００４２】
介入課題とは，複数行にわたって，ランダムに記載された１〜９の数字のうち，指定された数字に斜線を引いて消去していく作業を，受検者に一定時間の間行なわせるものである。これは２回行なわれる。斜線を引いて消すべき２回分の数字を複数パターンについてあらかじめ定めておき，その中の一つのパターンを選択するのが初期設定である。ここではパターンＢが選択されている。
【００４３】
時計描画とは受検者に時計の文字盤を描かせ，その中に短針と長針で時間（時刻）を表わさせるものである。その時間を設定するのが初期設定であり，これもあらかじめ定めた４種類の時間の中から選択する。図11では８時20分が選択されている。遅延再生のイラストのパターン，介入課題のパターン，時間をそれぞれ選択した後，決定ボタンを押せば，初期設定が確定する。
【００４４】
図９に示す主プログラム（表示制御手段）の流れにしたがって検査員装置10の実行する処理（動作）について説明する。図９のフローチャートにはページ別端末制御データに含まれる端末装置を制御するプログラムによる処理も含まれている。この主プログラムは検査装置10の記憶部13に格納されているが，クラウドコンピューティングシステムにより制御する場合には，このプログラムをクラウドコンピューティングシステムにアップロードしておき，クラウドコンピューティングシステムからの指令にしたがって検査員装置10が処理を実行するようになる。図10に示す採点プログラムについても同様である。さらに，表示画面の表示を制御する（ボタン34，35，36の押下に応答してページを進める，カーソル37を移動させるなど）表示プログラムについても同様である。表示プログラムによる画面の遷移については図12〜図14の説明で述べる。
【００４５】
初期設定が終了すると，検査員装置10の表示画面には図12に示す画面が表示される。開始ボタン34が押されると（タッチされると）（Ｓ11），ページＰ１に遷移する。すなわち，遷移記憶領域のページを示す値がＰ１（第１ページ）となり，表示画面が更新される（Ｓ14）。ここでは，「１．検査に当たっての事前の指示」がカーソル37で示される。また，戻るボタン35，次へボタン36が表示される。
【００４６】
検査員装置10のページ別端末制御データ記憶領域（図６）のＰ１の制御データが読出され，各端末装置20に送信される。また，端末装置20におけるタッチパネルからの入力が無効化される（Ｓ15）。タッチパネルからの入力の無効化にはさまざまな方法がある。端末装置20がタッチパネルの読取りを行なわない，読取りを行っても読取ったデータを消去する（または無効のフラグを立てる），検査員装置10に送信しない，検査員装置10は読取りデータの受信を禁止する，受信してもそのデータを消去するなどである。いずれにしても，このとき受検者が端末装置20のタッチパネルに触れても端末装置20または検査員装置10は反応しない。端末装置20は受信したページ別端末制御データ中の表示画面データのＵＲＬ１に基づいて検査員装置10の端末用表示画面データ記憶領域（図４）をアクセスし画像データを読出す。このとき端末装置20に表示される画面が図15に示されている。受検者はこの画面の指示にしたがって検査員の説明を聞くことになる。検査員は検査に当たっての事前の指示の話をする。
【００４７】
Ｐ１の手続（処理，動作）は，図15に示す画面を端末装置20に表示するだけで，検査員装置10は何も行なわない。
【００４８】
ページ別端末制御データを送信し，入力の無効化（Ｓ15）の処理を行った後に，検査員装置10が実行すべきいくつかの処理ルーチンが用意されている。これらを図９ではＲ１，Ｒ２，Ｒ３，Ｒ４で示す。Ｐ１の処理のときはＲ１を選択するから，主プログラムに従う処理は元に戻る。ページ番号ごとにＲ１〜Ｒ４のうちどのルーチンに進むかはあらかじめ定められている。
【００４９】
次へボタン36が押されると（Ｓ12），Ｐ２の「２．諸注意」に進み，Ｓ14，Ｓ15の処理を経て端末装置20には注意事項が表示される。この場合もルーチンＲ１を通る。戻るボタン35が押されたときには，１つ前のページの処理に戻ることになる。遷移記憶領域更新，表示画面更新（Ｓ14）は１つ前へ戻す処理となる。
【００５０】
次へボタン36が押されてＰ３の処理となる。これは図13に示す「３．質問確定」の処理である。この場合には，端末装置20の画面は，Ｓ15で，図16に示す質問があるかどうかを尋ねる画面となり，ルーチンＲ２に進む（第２の端末制御手段）。
【００５１】
図16の画面では受検者は質問の有無を「いいえ」，「はい」，のいずれかをタッチすることにより答えることができる。検査員は画面表示に加えて質問があるかどうかを口頭で尋ねてもよいのはいうまでもない。この答えをセンスするために端末装置20における入力無効化が解かれ，タッチが許可される（Ｓ21）（第２の端末制御手段）。各端末装置20から，受検者によるタッチの回答が検査員装置10に送信されるので（第２の端末制御手段），装置10はこれを受信し，表示画面の進行管理表32に表示する（Ｓ22）。図13の例では，端末番号が１と２の端末装置から質問あり（はい）の回答があり，端末番号２の受検者の質問に検査員が口頭で回答した状態を示している。質問がある場合には，事前指示／説明のコラムの端末番号１，２に該当する箇所に質問の文字が表示される。検査員が口頭で回答し，質問者が納得したときに検査員が該当箇所をタッチすると，質問の文字が丸の表示に変わる（端末番号２に対応して丸が表示されている）。端末番号１の端末にまだ「質問」が残っているので，検査員が端末番号１の受検者に口頭で回答して該当箇所をタッチすれば，このページＰ３の処理は終る（Ｓ23）。
【００５２】
事前指示／説明のカテゴリーの３番目の項目が進行中であることを示すために，端末番号３〜10に対応して事前指示／説明のコラムには３の数字が表示されている。カーソル37に加えて，この数字によっても，検査員は進行の段階を知ることができる。事前指示／説明のカテゴリーの４番目の項目まで終了すると，事前指示／説明のコラムにはすべての端末番号に対応して丸が表示される（図14参照）。
【００５３】
自己申告のカテゴリーに移ると，まず，自己申告用紙を今から端末装置20に表示するので読めるかどうかを確認せよ，という検査員による口頭の説明（表示画面で表示してもよい）があり，Ｐ５で図17に示すような自己申告用紙が端末装置20に表示される（Ｓ12，Ｓ14，Ｓ15）（第１の端末制御手段）。続いてＰ６で図18に示すような，文字が読めるか，どうかを確認する画面に移る（Ｓ12，Ｓ14，Ｓ15）（第１の端末制御手段）。この場合もルーチンＲ２に進み，端末装置20で受検者が入力した回答が検査員装置10に送られ（第１の端末制御手段），その表示画面の進行管理表32の自己申告のコラムに回答結果が表示される。この場合には，「いいえ」と回答した端末番号に対応してその旨が表示され，他は項目番号２が表示されていることになる。
【００５４】
Ｐ７のページの処理の段階では，端末装置20の表示画面に再び自己申告用紙が表示される（Ｓ12，Ｓ14，Ｓ15）（第１の端末制御手段）。この場合にはルーチンＲ３に進む。端末装置20のタッチパネル上で氏名，生年月日等を手書き入力させるために，無効化されていた端末装置20の表示画面上のタッチパネルからの入力（読込み）が許可され（Ｓ31）（第１の端末制御手段），図19に示すように手書きされ，読取られた文字，数字等が端末装置20から検査員装置10に送信される（Ｓ32）（第１の端末制御手段）。読取られたイメージデータは該当するページの読取データ記憶領域（端末数分）に格納されるか，または検査員装置10の記憶部13に記憶される。そして検査員装置10において，受信した手書きデータ（イメージデータ）のうち，氏名の欄のイメージデータが切り取られ，検査員装置10の進行管理表32に，端末装置のイメージデータごとに端末番号に対応して，氏名のコラムに表示される（Ｓ33）。これにより検査員は各受験者が氏名を入力したこと，次に続く設問の回答者が誰であるかを特定することができる。なお，自動車の運転免許の更新時等における認知機能検査においては，事前に運転免許証等で本人確認を行っているので，手書き氏名はその中の誰であるかを特定できる程度で充分である。また，ルーチンＲ３においても，後述するルーチンＲ４のように，時間制限を設けてもよい。
【００５５】
見当識のカテゴリーに進む（Ｐ８〜Ｐ10）。ここからが採点の対象となる設問である。見当識の検査が設問１である。検査の説明（ルーチンＲ１），質問確認（ルーチンＲ２）ののち，回答用紙１が各端末装置20の表示画面に表示され，手書きが許可される。Ｓ12，Ｓ14，Ｓ15からルーチンＲ４のＳ41に処理が進む（検査時間制御手段）。この検査には制限時間（たとえば２分）が設定されている。したがって，検査の開始（手書き許可）からの経過時間が計時される。
【００５６】
所定時間が経過すると（Ｓ42）（検査時間制御手段），端末装置20のタッチパネルにおける手書き入力が禁止（無効化）され（Ｓ43）（検査時間制御手段），読取られた手書き入力（イメージデータ）は検査員装置10に送信され（検査時間制御手段），読取データ記憶領域（端末数分）に記憶される（Ｓ44）。この設問１における回答の一例が図20に示されている。このような採点対象の設問に対する回答のデータは，端末番号に対応して記憶部13に記憶するようにしてもよい。設問１の回答は文字認識処理によりテキストデータに変換されて正解と照合されることにより正誤が判定される。
【００５７】
遅延再生の検査説明，イラスト記憶の作業に進む。検査説明，質問確認ののち，初期設定で選択されたパターンのイラストを順に，または複数枚同時に端末装置20の表示画面に表示する。これらのイラスト表示の処理はＳ12，Ｓ14，Ｓ15からルーチンＲ１を通る。
【００５８】
表示されるイラストの例が図21，図22，図23に示されている。これらは，オルガン，フライパン，ベッドである。これらの各イラストを表示している一定時間の間，検査員は，これはオルガンですねなどと物品名等を口頭で話をして受検者に印象付けるようにする。また，楽器があります（ヒント），それはオルガンですね，のようにヒントを添えて記憶しやすいようにする。
【００５９】
次の介入課題（設問２）は上述したように一連のランダム数字のうち，指定された数字を斜線で消していくものであり，先に示したイラストを意図的に忘れるようにするものである。制限時間を計時するときにはルーチンＲ４を通る。設問２は採点の対象にはならない。
【００６０】
遅延回答（自由回答）では，検査説明（ルーチンＲ１），質問確認（ルーチンＲ２）の後，先に遅延再生（イラスト記憶）で表示したイラストの物品名（単語）を端末装置20の表示画面に表示された回答用紙に書かせる。記入済の回答例が図24に示されている。回答用紙に上下方向に並べて16の記入欄があり，受検者は思い出す単語を順に記入していく。端末装置20で入力された回答（イメージデータ）は検査員装置10に送られ，その記憶部13に記憶される。この回答記入は時間制限（たとえば３分）があり，ルーチンＲ４を通る。
【００６１】
続いて遅延再生（手がかり回答）に進む。ここでも検査説明（ルーチンＲ１），質問確認（ルーチンＲ２）がある。この質問確認の段階における検査員装置10の表示画面の例が図14に示されている。遅延再生（自由回答）までのカテゴーについてはすべて丸印が表わされ，終了していることが分る。質問の表示が端末番号１についてあり，端末番号２については終了の丸印が記入され，他の端末番号については２番目の項目を示す２の文字が表示されている。
【００６２】
回答記入は時間制限（たとえば３分）があるので，ルーチンＲ４を通る。回答例が図25に示されている。手がかり回答では回答用紙にヒントがあらかじめ記入して表示される。受検者は端末装置20の表示画面（タッチパネル）上で，各記入欄に回答を手書きで記入していく。ヒントがあるので回答が比較的容易になる。端末装置において手書き入力された回答（イメージデータ）は，検査員装置10に送信され，その記憶部13に記憶される（Ｓ44）。
【００６３】
最後の問題は時計描画である。検査説明，質問確認ののち，まず時計の文字盤を端末装置20の表示画面上で描かせる。制限時間（たとえば１分）があるので，ルーチンＲ４を通る。次に初期設定で設定した時間を口頭で言い，または端末装置20の表示画面に表示して，描いた文字盤上に短針と長針で表現させる。これも制限時間があるので，ルーチンＲ４を通る。制限時間経過後に，表現された時計の文字盤と短針，長針の絵（イメージデータ）は検査員装置10に送られ，その記憶部13に記憶される。回答例が図26に示されている。
【００６４】
最後に図27の終了画面が端末装置20に表示され，認知機能検査は終了する。
【００６５】
検査員は検査終了後ただちに，または時間をおいてから，採点にとりかかる。この実施例では検査員装置10は自動採点機能（手書き文字の採点装置，正誤判定装置，正誤修正装置）を持っている。その一例を次に示す。
【００６６】
図28は端末番号１の端末装置20から送られてきた見当識の設問の解答例を自動採点した結果を示すものである。画面の左側に正解例が，右側に受検者の回答が表示されている。基準に従って採点された結果の得点も表示される。
【００６７】
端末装置20から入力する回答イメージは検査員装置10において文字認識処理でテキストデータに変換される。変換されたテキストデータによって表わされる文字，数字が回答イメージに隣接して表示される。自動採点（正誤の判定）は，正解例を示すテキストデータと文字認識処理で変換された回答のテキストデータとの照合により行なわれる。両テキストデータが一致すれば正，不一致ならば誤である。正，誤の自動判定結果は，各回答欄の右側のチェックボックス38に表示される。チェックされているのが正である。検査員は，正解例，文字認識結果の文字，数字，手書き回答を目視で比較して，自動判定結果が正しいかどうかを判断する。自動判定が誤っていた場合には，その回答についてチェックボックスにチェックして自動判定結果を修正する。図28の例では，手書き文字の水曜日が木曜日と誤認識された結果，自動判定では誤とされているが，目視で判断すれば水曜日と分るので，対応するチェックボックス28にチェックして自動判定結果を修正する。これにより得点も自動的に修正される。今は何時何分ですかという最後の問に対する正解範囲（誤差の範囲）はあらかじめ定めておくとよい。
【００６８】
図29は検査員装置10において遅延再生（自由回答）の採点の過程を示す表示画面の例である。遅延再生（自由回答）では，一般に受検者はイラストの物品名等（単語）を思い出す順で回答用紙の記入欄に上から下に向って記入していく。正解例は一般に遅延再生（イラスト記憶）の段階でイラストを表示した順に配列される。したがって，受検者の回答における物品名等の記入欄における順番と正解例物品名の順番とが必ずしも一致しない。そのために，両者を対比して目視で正誤判定するのは非常に困難であるし，時間がかかる。
【００６９】
図29の例を参照して説明する。図10に示す採点プログラムは，このような問題点を解決するものである。この採点プログラムは，まず自動採点（正誤判定）を行い，続いて検査員による修正を受入れるものであり，検査員による修正作業を簡便なものとするものである。
【００７０】
これらの図（図10，図29）と，さらに図８に示す正解記憶領域とを参照して説明する。端末番号１の端末装置における手書き回答を例にとる。
【００７１】
図29に示すように，検査員装置10の表示画面の左側に正解例（物品名等を表わす単語）が縦に配列されている。表示画面の右側には受検者が入力した手書き文字（手書き単語）が，受検者が記載した通りの順序で表示されている（Ｓ51）。
【００７２】
受検者の手書き文字（単語）が公知の文字認識処理によりテキストデータに変換され，手書き文字に隣接してそのテキストデータによって表わされる文字（単語）が表示される（Ｓ52）。
【００７３】
検査員装置10において，正解例のテキストデータと文字認識結果のテキストデータとがその順序を問わず比較される。文字認識結果のテキストデータのうち正解例のテキストデータと一致するものがあれば，正答と判定し（Ｓ53）（正誤判定手段），正答が存在する正解テキストデータについて，正解記憶領域（図８）において正解存在を記憶する（チェックする）（Ｓ54）。図８において，正解存否の欄でチェックされたものは手書き回答に正答（正解）が存在するものである。上記の判定の結果を表示画面に表示する。すなわち，正答と判定されたものについてはその正解文字を手書き文字（及びテキスト変換文字）に対応して表示し，正答ではないと判定されたものについては不正解という文字を手書き文字（及びテキスト変換文字）に対応して表示する（Ｓ55）（判定結果表示手段）。
【００７４】
検査員は不正解と表示された手書き文字に着目し，まずそれが正しく文字認識されているかどうかをチェックする。たとえば，大砲は大石包と誤認識されているが，手書き文字をみれば大砲であることが分る。そこで，大砲に対応する不正解の文字をタッチして，手動採点（判定）修正を要求する（Ｓ56）。
【００７５】
検査員装置10において，図８の正解記憶領域（正解存否記憶手段）が参照され，正解が存在するとチェックされている以外の正解文字（残り正解文字）を正解一覧に表示する（Ｓ57）（参照正解表示手段）。検査員が正解一覧をみて，そこに大砲の文字があれば，手書き回答の大砲は正解である。検査員が正解一覧の大砲の文字をタッチすると（Ｓ58），手書き文字大砲（認識文字：大石包）に対応する不正解の文字が大砲に修正され，かつ正解記憶領域の大砲に対応する正解存否チェックが更新される（正答存在とされる）（Ｓ59）（更新手段）。また，判定結果も，正答数が８から９になるので，それに応じて書き替えられる。
【００７６】
他の不正解文字である「筆」と「イス」と「バナナ」については正解一覧に存在しないので，不正解のままとなる。
【００７７】
このようにして，正解文字のうち正解と判定されたものを除く正解一覧が表示されるので，検査員は自動判定結果を容易に修正することができるようになる。
【００７８】
図30は遅延再生（手がかり回答）の正誤の自動判定（採点）結果を示している。遅延再生（手がかり回答）はヒントがあり，そのヒントに対応して回答を手書きするので，手書き文字の並びの順序が正解例の並びの順序と一致している。したがって，正解文字と手書き文字とを左右に対比すれば容易に正誤の判断が可能である。図30に示す例では，文字認識による変換テキストデータに対応する文字が表示されている。手書き文字と変換テキストデータの文字とを比較し，正しく文字認識されているかどうかをチェックし，チェック欄38で修正すればよい。
【００７９】
上記の正誤判定結果は採点表（図７）に記憶される。この正誤判定結果に基づいて採点が行なわれる（採点手段）。たとえば，遅延再生（自由回答）の場合，正答の数に応じた点数が配点される。遅延再生（手がかり再生）も同様であるが，遅延再生（自由回答）の正答の方が高い点が付けられる。検査員による上記の修正入力の結果に応じて採点が更新される（更新手段）。
【００８０】
図31は時計描画の回答例を示すものである。ここでも画面の左側に正解例が右側に手書き描画が表示される。これらを対比することにより，検査員が目視で正誤判定することもできるし，検査員装置10に自動判定させもよい。
【符号の説明】
【００８１】
10  検査員装置
11  制御部
12  表示部
13  記憶部
20  端末装置
【図１】
2020028319.tif 000003
【図２】
2020028319.tif 000004
【図３】
2020028319.tif 000005
【図４】
2020028319.tif 000006
【図５】
2020028319.tif 000007
【図６】
2020028319.tif 000008
【図７】
2020028319.tif 000009
【図８】
2020028319.tif 000010
【図９】
2020028319.tif 000011
【図１０】
2020028319.tif 000012
【図１１】
2020028319.tif 000013
【図１２】
2020028319.tif 000014
【図１３】
2020028319.tif 000015
【図１４】
2020028319.tif 000016
【図１５】
2020028319.tif 000017
【図１６】
2020028319.tif 000018
【図１７】
2020028319.tif 000019
【図１８】
2020028319.tif 000020
【図１９】
2020028319.tif 000021
【図２０】
2020028319.tif 000022
【図２１】
2020028319.tif 000023
【図２２】
2020028319.tif 000024
【図２３】
2020028319.tif 000025
【図２４】
2020028319.tif 000026
【図２５】
2020028319.tif 000027
【図２６】
2020028319.tif 000028
【図２７】
2020028319.tif 000029
【図２８】
2020028319.tif 000030
【図２９】
2020028319.tif 000031
【図３０】
2020028319.tif 000032
【図３１】
2020028319.tif 000033
【手続補正書】
【提出日】平成31年2月22日(2019.2.22)
【手続補正１】
【補正対象書類名】特許請求の範囲
【補正対象項目名】全文
【補正方法】変更
【補正の内容】
【特許請求の範囲】
【請求項１】
表示画面上にタッチパネルを備える表示入力装置をそれぞれ有する複数台の端末装置，および認知機能検査の進行管理のための情報を表示する表示装置を有する検査員装置を備えるシステムにおいて，
上記表示入力装置の表示画面上に認知機能検査に関する設問を表示し，上記タッチパネル上で入力された回答を取込むように上記複数台の端末装置を制御する端末制御手段，ならびに
複数台の上記端末装置について，順次実施される複数種類の検査の進行状況を示す進行管理表を上記検査員装置の表示装置の表示画面上に表示する表示制御手段を備える，
認知機能検査の進行管理システム。
【請求項２】
上記表示制御手段は，上記進行管理表において，複数台の上記端末装置のタッチパネル上で手書き入力されかつ上記検査員装置に送信されてきた受検者の氏名を表わす文字を該氏名のデータを送信した端末装置に対応させて表示する，
請求項１に記載の認知機能検査の進行管理システム。
【請求項３】
上記端末制御手段は，上記端末装置の表示入力装置の表示画面に少なくとも受検者の氏名の手書き入力を促す画面を表示させるものである，請求項２に記載の認知機能検査の進行管理システム。
【請求項４】
上記表示制御手段は，端末装置から送信されてきた少なくとも質問または確認の有無の情報を当該端末装置の識別符号または受検者の氏名に対応させて表示する，
請求項１または２に記載の認知機能検査の進行管理システム。
【請求項５】
進行管理表は，端末装置または受検者の識別符号と検査の種類の進行状況とを表わすものであり，上記表示制御手段は，少なくとも質問または確認の有無の情報を，その情報を送信した端末装置または受検者の識別符号に対応させて，該情報を受信したときの検査の種類に応じた位置に表示する，請求項４に記載の認知機能検査の進行管理システム。 
【請求項６】
上記端末制御手段は，上記端末装置の表示入力装置の表示画面に，質問または確認の有無の情報の入力を促す画面を表示させるものである，請求項４または５に記載の認知機能検査の進行管理システム。
【請求項７】
制限時間のある検査の種類に関して，
検査の開始にあたって端末装置における入力を有効とし，かつ制限時間の計時を開始し，
制限時間が経過したときに端末装置における入力を無効とする検査時間制御手段をさらに備える，請求項１から６のいずれか一項に記載の認知機能検査の進行管理システム。
【請求項８】
表示画面上にタッチパネルを備える表示入力装置をそれぞれ有する複数台の端末装置，および認知機能検査の進行管理のための情報を表示する表示装置を有する検査員装置を備えるシステムにおいて，
上記表示入力装置の表示画面上に認知機能検査に関する設問を表示し，上記タッチパネル上で入力された回答を取込むように上記複数台の端末装置を制御する端末制御手段，ならびに
上記複数台の端末装置についての検査の進行状況を示す進行管理表を上記検査員装置の表示装置の表示画面上に表示する表示制御手段を備え，
上記表示制御手段は，上記進行管理表において，複数台の上記端末装置のタッチパネル上で手書き入力されかつ上記検査員装置に送信されてきた受検者の氏名を表わす文字を該氏名のデータを送信した端末装置に対応させて表示する，
認知機能検査の進行管理システム。
【請求項９】
上記表示制御手段は，端末装置から送信されてきた少なくとも質問または確認の有無の情報を当該端末装置の識別符号または受検者の氏名に対応させて表示する，
請求項８に記載の認知機能検査の進行管理システム。
【請求項１０】
表示画面上にタッチパネルを備える表示入力装置をそれぞれ有する複数台の端末装置，および認知機能検査の進行管理のための情報を表示する表示装置を有する検査員装置を備えるシステムにおいて，
上記表示入力装置の表示画面上に認知機能検査に関する設問を表示し，上記タッチパネル上で入力された回答を取込むように上記複数台の端末装置を制御する端末制御手段，ならびに
複数台の端末装置についての検査の進行状況を示す進行管理表を上記検査員装置の表示装置の表示画面上に表示する表示制御手段を備え，
上記表示制御手段は，上記進行管理表において，端末装置から送信されてきた少なくとも質問または確認の有無の情報を当該端末装置または受検者の識別符号に対応させて表示する，
認知機能検査の進行管理システム。
【請求項１１】
進行管理表は，端末装置または受検者の識別符号と検査の種類の進行状況とを表わすものであり，上記表示制御手段は，少なくとも質問または確認の有無の情報を，その情報を送信した端末装置または受検者の識別符号に対応させて，該情報を受信したときの検査の種類に応じた位置に表示する，請求項９または10に記載の認知機能検査の進行管理システム。 
【請求項１２】
上記端末制御手段は，上記端末装置の表示入力装置の表示画面に少なくとも受検者の氏名の手書き入力を促す画面を表示させるものである，請求項８に記載の認知機能検査の進行管理システム。
【請求項１３】
上記端末制御手段は，上記端末装置の表示入力装置の表示画面に，質問または確認の有無の情報の入力を促す画面を表示させるものである，請求項９から11のいずれか一項に記載の認知機能検査の進行管理システム。
【請求項１４】
制限時間のある検査の種類に関して，
検査の開始にあたって端末装置における入力を有効とし，かつ制限時間の計時を開始し，
制限時間が経過したときに端末装置における入力を無効とする検査時間制御手段をさらに備える，請求項８から11のいずれか一項に記載の認知機能検査の進行管理システム。
【請求項１５】
表示画面上にタッチパネルを備える表示入力装置をそれぞれ有する複数台の端末装置，および認知機能検査の進行管理のための情報を表示する表示装置を有する検査員装置を備えるシステムにおいて，
上記表示入力装置の表示画面上に認知機能検査に関する設問を表示し，上記タッチパネル上で入力された回答を取込むように上記複数台の端末装置を制御する端末制御手段，ならびに
制限時間のある検査の種類に関して，検査の開始にあたって上記端末装置における入力を有効とし，かつ制限時間の計時を開始し，制限時間が経過したときに上記端末装置における入力を無効とする検査時間管理手段を備える，
認知機能検査の進行管理システム。
【請求項１６】
表示画面上にタッチパネルを備える表示入力装置をそれぞれ有する複数台の端末装置，および表示装置を有する検査員装置を備え，認知機能検査を実施するシステムにおける進行管理方法であり，
端末制御手段が上記表示入力装置の表示画面上に認知機能検査に関する設問を表示し，上記タッチパネル上で入力された回答を取込むように上記複数台の端末装置を制御し， 
表示制御手段が，上記複数台の端末装置について，順次実施される複数種類の検査の進行状況を示す進行管理表を上記検査員装置の表示装置の表示画面上に表示する，
認知機能検査の進行管理方法。
【請求項１７】
表示画面上にタッチパネルを備える表示入力装置をそれぞれ有する複数台の端末装置，および表示装置を有する検査員装置を備え，認知機能検査を実施するシステムにおける進行管理方法であり，
端末制御手段が上記表示入力装置の表示画面上に認知機能検査に関する設問を表示し，上記タッチパネル上で入力された回答を取込むように上記複数台の端末装置を制御し， 
表示制御手段が，複数台の端末装置についての検査の進行状況を示す進行管理表を上記検査員装置の表示装置の表示画面上に表示し，
上記表示制御手段が，上記進行管理表において，複数台の上記端末装置のタッチパネル上で手書き入力されかつ上記検査員装置に送信されてきた受検者の氏名を表わす文字を該氏名のデータを送信した端末装置に対応させて表示する，
認知機能検査の進行管理方法。
【請求項１８】
表示画面上にタッチパネルを備える表示入力装置をそれぞれ有する複数台の端末装置，および表示装置を有する検査員装置を備え，認知機能検査を実施するシステムにおける進行管理方法であり，
端末制御手段が上記表示入力装置の表示画面上に認知機能検査に関する設問を表示し，上記タッチパネル上で入力された回答を取込むように上記複数台の端末装置を制御し， 
表示制御手段により，複数台の端末装置についての検査の進行状況を示す進行管理表を上記検査員装置の表示装置の表示画面上に表示し，
上記表示制御手段により，上記進行管理表において，端末装置から送信されてきた少なくとも質問または確認の有無の情報を当該端末装置または受検者の識別符号に対応させて表示する，
認知機能検査の進行管理方法。
【請求項１９】
表示画面上にタッチパネルを備える表示入力装置をそれぞれ有する複数台の端末装置，および表示装置を有する検査員装置を備え，認知機能検査を実施するシステムにおける進行管理方法であり，
端末制御手段が上記表示入力装置の表示画面上に認知機能検査に関する設問を表示し，上記タッチパネル上で入力された回答を取込むように上記複数台の端末装置を制御し， 
検査時間制御手段が，制限時間のある検査の種類に関して，検査の開始にあたって端末装置における入力を有効とし，かつ制限時間の計時を開始し，制限時間が経過したときに端末装置における入力を無効とする，
認知機能検査の進行管理方法。
【請求項２０】
表示画面上にタッチパネルを備える表示入力装置をそれぞれ有する複数台の端末装置，および表示装置を有する検査員装置を備え，認知機能検査を実施するシステムにおける進行管理プログラムであり，
上記表示入力装置の表示画面上に認知機能検査に関する設問を表示し，上記タッチパネル上で入力された回答を取込むように上記複数台の端末装置のコンピュータを制御し，
複数台の上記端末装置について順次実施される複数種類の検査の進行状況を示す進行管理表を上記検査員装置の表示装置の表示画面上に表示するように上記検査員装置のコンピュータを制御する，
認知機能検査の進行管理プログラム。
【請求項２１】
表示画面上にタッチパネルを備える表示入力装置をそれぞれ有する複数台の端末装置，および表示装置を有する検査員装置を備え，認知機能検査を実施するシステムにおける進行管理プログラムであり，
上記表示入力装置の表示画面上に認知機能検査に関する設問を表示し，上記タッチパネル上で入力された回答を取込むように上記複数台の端末装置のコンピュータを制御し，
複数台の端末装置についての検査の進行状況を示す進行管理表を上記検査員装置の表示装置の表示画面上に表示し，
上記進行管理表において，複数台の上記端末装置のタッチパネル上で手書き入力されかつ上記検査員装置に送信されてきた受検者の氏名を表わす文字を該氏名のデータを送信した端末装置と対応させて表示するように上記検査員装置のコンピュータを制御する，
認知機能検査の進行管理プログラム。
【請求項２２】
表示画面上にタッチパネルを備える表示入力装置をそれぞれ有する複数台の端末装置，および表示装置を有する検査員装置を備え，認知機能検査を実施するシステムにおける進行管理プログラムであり，
上記表示入力装置の表示画面上に認知機能検査に関する設問を表示し，上記タッチパネル上で入力された回答を取込むように上記複数台の端末装置のコンピュータを制御し，
複数台の端末装置についての検査の進行状況を示す進行管理表を上記検査員装置の表示装置の表示画面上に表示し，
上記進行管理表において，端末装置から送信されてきた少なくとも質問または確認の有無の情報を当該端末装置もしくは受検者の識別符号または受検者の氏名に対応させて表示するように上記検査員装置のコンピュータを制御する，
認知機能検査の進行管理プログラム。
【請求項２３】
表示画面上にタッチパネルを備える表示入力装置をそれぞれ有する複数台の端末装置，および表示装置を有する検査員装置を備え，認知機能検査を実施するシステムにおける進行管理プログラムであり，
上記表示入力装置の表示画面上に認知機能検査に関する設問を表示し，上記タッチパネル上で入力された回答を取込むように上記複数台の端末装置のコンピュータを制御し，
制限時間のある検査の種類に関して，検査の開始にあたって端末装置における入力を有効とし，かつ制限時間の計時を開始し，制限時間が経過したときに端末装置における入力を無効とするように上記検査員装置または端末装置におけるコンピュータを制御する認知機能検査の進行管理プログラム。